(57)【特許請求の範囲】
【請求項１】
少なくとも１組の接点を有する接点機構と、コイル線が巻かれている中空部を有するコイルボビンと、前記コイルボビンを取り囲むように配されている１組の継鉄と、前記１組の継鉄の間に配設されている永久磁石とで構成された電磁石ブロックと、前記コイルボビンの中空部に置かれ１組の継鉄間で揺動可能に枢支されているアマチュアと、前記電磁石ブロックを覆うトンネル状の絶縁壁を備えており、前記トンネル状の絶縁壁はその両側に同軸方向に開口した開口部を有し、両側の開口部の間が開口を有することなく延ばされていると共に前記接点機構の端子が固着されているボディブロックと、中央の胴状部がトンネル状の絶縁壁の開口部より挿入され、トンネル状の絶縁壁内でアマチュアと結合され、上記胴状部と略垂直な側片がトンネル状の絶縁壁の外に配されている略Ｔ字型のカードと、前記ボディブロックのトンネル状の絶縁壁の外壁に絶縁用の壁が至ってボディブロックのトンネル状の絶縁壁の外側に設けられた溝に入り込んで２重の絶縁構成とするケースを備え、前記電磁石ブロック及びアマチュアが、前記ボディブロックのトンネル状の絶縁壁の一方の開口部より挿入され、接点機構は、トンネル状の絶縁壁の側方に配置され、前記カードにより、１つの接点が固着されている可動ばねの接点より先端位置にて駆動される電磁継電器において、前記ボディブロックは、少なくとも１組の接点機構の端子がインサート成形されているベースと、前記トンネル状の絶縁壁を構成している絶縁カバーより構成されていることを特徴とする電磁継電器。
【請求項２】
前記ベースに少なくとも１つの位置決め用のリブが形成されていると共に、前記絶縁カバーに設けられた孔が前記リブに挿入されることにより、ベースに対して絶縁カバーが位置決めされ、その後、前記リブを加熱かしめして、ベースと絶縁カバーを一体化してボディブロックを構成することを特徴とする請求項１記載の電磁継電器。
【請求項３】
前記絶縁カバーに少なくとも１つの位置決め用のリブが形成され、前記ベースに設けられた孔に前記リブが挿入されてベースに対して絶縁カバーが位置決めされ、その後、ベースと絶縁カバーとを一体化してボディブロックを構成することを特徴とする請求項１記載の電磁継電器。
【請求項４】
絶縁カバーに設けられたリブは、電磁石ブロックがボディブロックに挿入されたときに、継鉄またはコイルボビンのつば部の下面に位置されていることを特徴とする請求項３記載の電磁継電器。
【請求項５】
絶縁カバーの電磁石ブロックが挿入される側の端部下面に切欠きが形成されているとともに、ベースに、切欠きに対応する突部が形成され、切欠きに突部が嵌まり込んで成ることを特徴とする請求項１記載の電磁継電器。
【請求項６】
少なくとも１組の接点を有する接点機構と、コイル線が巻かれている中空部を有するコイルボビンと、前記コイルボビンを取り囲むように配されている１組の継鉄と、前記１組の継鉄の間に配設されている永久磁石とで構成された電磁石ブロックと、前記コイルボビンの中空部に置かれ１組の継鉄間で揺動可能に枢支されているアマチュアと、前記電磁石ブロックを覆うトンネル状の絶縁壁を備えており、前記トンネル状の絶縁壁はその両側に同軸方向に開口した開口部を有し、両側の開口部の間が開口を有することなく延ばされていると共に前記接点機構の端子が固着されているボディブロックと、中央の胴状部がトンネル状の絶縁壁の開口部より挿入され、トンネル状の絶縁壁内でアマチュアと結合され、上記胴状部と略垂直な側片がトンネル状の絶縁壁の外に配されている略Ｔ字型のカードと、前記ボディブロックのトンネル状の絶縁壁の外壁に絶縁用の壁が至ってボディブロックのトンネル状の絶縁壁の外側に設けられた溝に入り込んで２重の絶縁構成とするケースを備え、前記電磁石ブロック及びアマチュアが、前記ボディブロックのトンネル状の絶縁壁の一方の開口部より挿入され、接点機構は、トンネル状の絶縁壁の側方に配置され、前記カードにより、１つの接点が固着されている可動ばねの接点より先端位置にて駆動される電磁継電器において、ボディブロックを３つのボディ片から構成し、電磁石ブロックを覆うトンネル状の絶縁壁を備えたボディ片を射出成形で形成し、他のボディ片を可動接点がかしめ固定されている可動ばねが固定された１つの可動端子と、可動接点に対向した固定接点がかしめ固定されている１つの固定端子とともに同時成形により、それぞれ成形して、３つのボディ片を接続して、ボディブロックを構成することを特徴とする電磁継電器。
【請求項７】
少なくとも１組の接点を有する接点機構と、コイル線が巻かれている中空部を有するコイルボビンと、前記コイルボビンを取り囲むように配されている１組の継鉄と、前記１組の継鉄の間に配設されている永久磁石とで構成された電磁石ブロックと、前記コイルボビンの中空部に置かれ１組の継鉄間で揺動可能に枢支されているアマチュアと、前記電磁石ブロックを覆うトンネル状の絶縁壁を備えており、前記トンネル状の絶縁壁はその両側に同軸方向に開口した開口部を有し、両側の開口部の間が開口を有することなく延ばされていると共に前記接点機構の端子が固着されているボディブロックと、中央の胴状部がトンネル状の絶縁壁の開口部より挿入され、トンネル状の絶縁壁内でアマチュアと結合され、上記胴状部と略垂直な側片がトンネル状の絶縁壁の外に配されている略Ｔ字型のカードと、前記ボディブロックのトンネル状の絶縁壁の外壁に絶縁用の壁が至ってボディブロックのトンネル状の絶縁壁の外側に設けられた溝に入り込んで２重の絶縁構成とするケースを備え、前記電磁石ブロック及びアマチュアが、前記ボディブロックのトンネル状の絶縁壁の一方の開口部より挿入され、接点機構は、トンネル状の絶縁壁の側方に配置され、前記カードにより、１つの接点が固着されている可動ばねの接点より先端位置にて駆動される電磁継電器において、トンネル状の絶縁壁を備えた上記ボディブロックとしてのボディ片が、二分割され、分割された分割ボディ片を可動接点がかしめ固定されている可動ばねが固着された可動端子と、可動接点に対向した固定接点がかしめ固定されている固定端子とともに同時成形により成形した後、分割ボディ片を熱着固定あるいは接着固定して、トンネル状の絶縁壁を備えたボディ片を形成することを特徴とする電磁継電器。
【請求項８】
少なくとも１組の接点を有する接点機構と、コイル線が巻かれている中空部を有するコイルボビンと、前記コイルボビンを取り囲むように配されている１組の継鉄と、前記１組の継鉄の間に配設されている永久磁石とで構成された電磁石ブロックと、前記コイルボビンの中空部に置かれ１組の継鉄間で揺動可能に枢支されているアマチュアと、前記電磁石ブロックを覆うトンネル状の絶縁壁を備えており、前記トンネル状の絶縁壁はその両側に同軸方向に開口した開口部を有し、両側の開口部の間が開口を有することなく延ばされていると共に前記接点機構の端子が固着されているボディブロックと、中央の胴状部がトンネル状の絶縁壁の開口部より挿入され、トンネル状の絶縁壁内でアマチュアと結合され、上記胴状部と略垂直な側片がトンネル状の絶縁壁の外に配されている略Ｔ字型のカードと、前記ボディブロックのトンネル状の絶縁壁の外壁に絶縁用の壁が至ってボディブロックのトンネル状の絶縁壁の外側に設けられた溝に入り込んで２重の絶縁構成とするケースを備え、前記電磁石ブロック及びアマチュアが、前記ボディブロックのトンネル状の絶縁壁の一方の開口部より挿入され、接点機構は、トンネル状の絶縁壁の側方に配置され、前記カードにより、１つの接点が固着されている可動ばねの接点より先端位置にて駆動される電磁継電器において、前記カードには下方に向けて突部が突出され、ベースには凹部が形成され、突部が凹部に揺動自在に挿入されて成ることを特徴とする電磁継電器。
【請求項９】
少なくとも１組の接点を有する接点機構と、コイル線が巻かれている中空部を有するコイルボビンと、前記コイルボビンを取り囲むように配されている１組の継鉄と、前記１組の継鉄の間に配設されている永久磁石とで構成された電磁石ブロックと、前記コイルボビンの中空部に置かれ１組の継鉄間で揺動可能に枢支されているアマチュアと、前記電磁石ブロックを覆うトンネル状の絶縁壁を備えており、前記トンネル状の絶縁壁はその両側に同軸方向に開口した開口部を有し、両側の開口部の間が開口を有することなく延ばされていると共に前記接点機構の端子が固着されているボディブロックと、中央の胴状部がトンネル状の絶縁壁の開口部より挿入され、トンネル状の絶縁壁内でアマチュアと結合され、上記胴状部と略垂直な側片がトンネル状の絶縁壁の外に配されている略Ｔ字型のカードと、前記ボディブロックのトンネル状の絶縁壁の外壁に絶縁用の壁が至ってボディブロックのトンネル状の絶縁壁の外側に設けられた溝に入り込んで２重の絶縁構成とするケースを備え、前記電磁石ブロック及びアマチュアが、前記ボディブロックのトンネル状の絶縁壁の一方の開口部より挿入され、接点機構は、トンネル状の絶縁壁の側方に配置され、前記カードにより、１つの接点が固着されている可動ばねの接点より先端位置にて駆動される電磁継電器において、前記カードに胴状部が形成され、胴状部にはトンネル状の孔が胴状部の一端側に開口して形成され、孔の奥にはアマチュアの挿入孔が形成され、アマチュアの先端部が挿入孔に挿入され、トンネル状の孔内には接着剤が塗布されて成ることを特徴とする電磁継電器。
【発明の詳細な説明】
【０００１】
【発明の属する技術分野】
本発明は、家庭電気機器、ヒートコントロール、ガス、水道、電力の自動検針器等の制御に使用される電気継電器に適用される。
【０００２】
【従来の技術】
近年、前途の用途に使用される電磁継電器には、特に、欧州等の２３０Ｖ地域を中心にして、ＶＤＥ０６３１，ＶＤＥ０７００、ＩＥＣ３３５−１等に示されているように、十分な絶縁距離の確保や２重絶縁構造が要求されるようになってきている。
【０００３】
従来の電磁継電器としては、例えば、実開昭６１−１９３６５３号等がある。しかし、前述のものは、ボディに設けられたトンネル状の絶縁壁が、電磁石ブロックの磁極部で開口されているので、その開口部を通して、絶縁が破られており、十分な絶縁距離がとり難いと共に、カードに他の絶縁壁をつけてもカードが移動するため、ボディやケースの絶縁壁との間に隙間が生じるので、完全な２重絶縁構造を達成することが困難であるという問題があった。また、接点端子が圧入でボディに固定されているため、圧入の際にボディ成形材料が削られ、ゴミとなり接点に付着して接触不良を引き起こしたり、アマチュアに付着して動作不良を引き起こすことがあったり、ケースを被せた後のシール時に端子が動き特性変化を起こすことがあった。また、前記対策として、端子圧入後、圧入部を接着剤でシールすることが考えられているが、接着剤を硬化乾燥させる必要があり、製造プロセスのラインが分断され、コストアップを引き起こすという問題があった。
【０００４】
【発明が解決しようとする課題】
本発明はこのような問題に鑑みてなされたものであり、電磁継電器において、十分な絶縁距離が確保でき、完全な２重絶縁が達成できると共に、接触不良や特性変化が少なく信頼性を高めることを課題とする。
【０００５】
【課題を解決するための手段】
請求項１においては、少なくとも１組の接点を有する接点機構と、コイル線が巻かれている中空部を有するコイルボビン６と、前記コイルボビン６を取り囲むように配されている１組の継鉄７、８と、前記１組の継鉄７、８の間に配設されている永久磁石１１とで構成された電磁石ブロック２と、前記コイルボビン６の中空部６ａに置かれ１組の継鉄７、８間で揺動可能に枢支されているアマチュア１３と、前記電磁石ブロック２を覆うトンネル状の絶縁壁３２ａを備えており、前記トンネル状の絶縁壁３２ａはその両側に同軸方向に開口した開口部３２ｂ，３２ｃを有し、両側の開口部３２ｂ，３２ｃの間が開口を有することなく延ばされていると共に前記接点機構の端子が固着されているボディブロック１と、中央の胴状部１２ａがトンネル状の絶縁壁３２ａの開口部３２ｃより挿入されてトンネル状の絶縁壁３２ａ内でアマチュア１３と結合され、上記胴状部１２ａと略垂直な側片がトンネル状の絶縁壁３２ａの外に配されている略Ｔ字型のカード１２と、前記ボディブロック１のトンネル状の絶縁壁３２ａの外壁に絶縁用の壁１４ａが至ってボディブロック１のトンネル状の絶縁壁３２ａの外側に設けられた溝３ｄに入り込んで２重の絶縁構成とするケース１４を備え、前記電磁石ブロック２及びアマチュア１３が、前記ボディブロック１のトンネル状の絶縁壁３２ａの一方の開口部３２ｂより挿入され、上記接点機構は、トンネル状の絶縁壁３２ａの側方に配置され、前記カード１２により、１つの接点が固着されている可動ばね４ｂの接点より先端位置にて駆動される電磁継電器において、前記ボディブロック１は、少なくとも１組の接点機構の端子がインサート成形されているベース３１と、前記トンネル状の絶縁壁３２ａを構成している絶縁カバー３２より構成されていることを特徴とするものである。
【０００６】
請求項２においては、前記ベース３１に少なくとも１つの位置決め用のリブ３１ａ，３１ｂ，３１ｃが形成されていると共に、前記絶縁カバー３２に設けられた孔３２ｄ，３２ｅ，３２ｆが前記リブ３１ａ，３１ｂ，３１ｃに挿入されることにより、ベース３１に対して絶縁カバー３２が位置決めされ、その後、前記リブ３１ａ，３１ｂ，３１ｃを熱かしめして、ベース３１と絶縁カバー３２を一体化してボディブロック１を構成することを特徴とするものである。
【０００７】
請求項３においては、前記絶縁カバー３２に少なくとも１つの位置決め用のリブ３２ｈ，３２ｉ，３２ｇ，３２ｋが形成され、前記ベース３１に設けられた孔３１ｈ，３１ｉ，３１ｇ，３１ｋに前記リブ３２ｈ，３２ｉ，３２ｇ，３２ｋが挿入されてベース３１に対して絶縁カバー３２が位置決めされ、その後、ベース３１と絶縁カバー３２とを一体化してボディブロック１を構成することを特徴とするものである。
【０００８】
請求項４においては、絶縁カバー３２に設けられたリブ３２ｈ，３２ｉ，３２ｇ，３２ｋは、電磁石ブロック２がボディブロック１に挿入されたときに、継鉄７，８またはコイルボビン６のつば部の下面に位置されていることを特徴とするものである。
【０００９】
請求項５においては、絶縁カバー３２の電磁石ブロック２が挿入される側の端部下面に切欠き３２ｍが形成されているとともに、ベース３１に、切欠き３２ｍに対応する突部３１ｍが形成され、切欠き３２ｍに突部３１ｍが嵌まり込んで成ることを特徴とするものである。
請求項６においては、少なくとも１組の接点を有する接点機構と、コイル線が巻かれている中空部を有するコイルボビン６と、前記コイルボビン６を取り囲むように配されている１組の継鉄７、８と、前記１組の継鉄７、８の間に配設されている永久磁石１１とで構成された電磁石ブロック２と、前記コイルボビン６の中空部６ａに置かれ１組の継鉄７、８間で揺動可能に枢支されているアマチュア１３と、前記電磁石ブロック２を覆うトンネル状の絶縁壁３２ａを備えており、前記トンネル状の絶縁壁３２ａはその両側に同軸方向に開口した開口部３２ｂ，３２ｃを有し、両側の開口部３２ｂ，３２ｃの間が開口を有することなく延ばされていると共に前記接点機構の端子が固着されているボディブロック１と、中央の胴状部１２ａがトンネル状の絶縁壁３２ａの開口部３２ｃより挿入されてトンネル状の絶縁壁３２ａ内でアマチュア１３と結合され、上記胴状部１２ａと略垂直な側片がトンネル状の絶縁壁３２ａの外に配されている略Ｔ字型のカード１２と、前記ボディブロック１のトンネル状の絶縁壁３２ａの外壁に絶縁用の壁１４ａが至ってボディブロック１のトンネル状の絶縁壁３２ａの外側に設けられた溝３ｄに入り込んで２重の絶縁構成とするケース１４を備え、前記電磁石ブロック２及びアマチュア１３が、前記ボディブロック１のトンネル状の絶縁壁３２ａの一方の開口部３２ｂより挿入され、上記接点機構は、トンネル状の絶縁壁３２ａの側方に配置され、前記カード１２により、１つの接点が固着されている可動ばね４ｂの接点より先端位置にて駆動される電磁継電器において、ボディブロック１を３つのボディ片１ａ，１ｂ，１ｃから構成し、電磁石ブロック２を覆うトンネル状の絶縁壁３２ａを備えたボディ片１ａを射出成形で形成し、他のボディ片１ｂ，１ｃを可動接点４ａがかしめ固定されている可動ばね４ｂが固定された１つの可動端子４ｃと、可動接点４ａに対向した固定接点５ａがかしめ固定されている１つの固定端子５ｂとともに同時成形により、それぞれ成形して、３つのボディ片１ａ，１ｂ，１ｃを接続して、ボディブロック１を構成することを特徴とするものである。
【００１０】
請求項７においては、少なくとも１組の接点を有する接点機構と、コイル線が巻かれている中空部を有するコイルボビン６と、前記コイルボビン６を取り囲むように配されている１組の継鉄７、８と、前記１組の継鉄７、８の間に配設されている永久磁石１１とで構成された電磁石ブロック２と、前記コイルボビン６の中空部６ａに置かれ１組の継鉄７、８間で揺動可能に枢支されているアマチュア１３と、前記電磁石ブロック２を覆うトンネル状の絶縁壁３２ａを備えており、前記トンネル状の絶縁壁３２ａはその両側に同軸方向に開口した開口部３２ｂ，３２ｃを有し、両側の開口部３２ｂ，３２ｃの間が開口を有することなく延ばされていると共に前記接点機構の端子が固着されているボディブロック１と、中央の胴状部１２ａがトンネル状の絶縁壁３２ａの開口部３２ｃより挿入されてトンネル状の絶縁壁３２ａ内でアマチュア１３と結合され、上記胴状部１２ａと略垂直な側片がトンネル状の絶縁壁３２ａの外に配されている略Ｔ字型のカード１２と、前記ボディブロック１のトンネル状の絶縁壁３２ａの外壁に絶縁用の壁１４ａが至ってボディブロック１のトンネル状の絶縁壁３２ａの外側に設けられた溝３ｄに入り込んで２重の絶縁構成とするケース１４を備え、前記電磁石ブロック２及びアマチュア１３が、前記ボディブロック１のトンネル状の絶縁壁３２ａの一方の開口部３２ｂより挿入され、上記接点機構は、トンネル状の絶縁壁３２ａの側方に配置され、前記カード１２により、１つの接点が固着されている可動ばね４ｂの接点より先端位置にて駆動される電磁継電器において、トンネル状の絶縁壁３２ａを備えた上記ボディブロック１としてのボディ片１ａが、二分割され、分割された分割ボディ片１ｅ，１ｅを可動接点４ａがかしめ固定されている可動ばね４ｂが固着された可動端子５ｂと、可動接点４ａに対向した固定接点５ａがかしめ固定されている固定端子５ｂとともに同時成形により成形した後、分割ボディ片１ｅ，１ｅを熱着固定あるいは接着固定して、トンネル状の絶縁壁３２ａを備えたボディ片１ａを形成することを特徴とするものである。
【００１１】
請求項８においては、少なくとも１組の接点を有する接点機構と、コイル線が巻かれている中空部を有するコイルボビン６と、前記コイルボビン６を取り囲むように配されている１組の継鉄７、８と、前記１組の継鉄７、８の間に配設されている永久磁石１１とで構成された電磁石ブロック２と、前記コイルボビン６の中空部６ａに置かれ１組の継鉄７、８間で揺動可能に枢支されているアマチュア１３と、前記電磁石ブロック２を覆うトンネル状の絶縁壁３２ａを備えており、前記トンネル状の絶縁壁３２ａはその両側に同軸方向に開口した開口部３２ｂ，３２ｃを有し、両側の開口部３２ｂ，３２ｃの間が開口を有することなく延ばされていると共に前記接点機構の端子が固着されているボディブロック１と、中央の胴状部１２ａがトンネル状の絶縁壁３２ａの開口部３２ｃより挿入され、トンネル状の絶縁壁３２ａ内でアマチュア１３と結合され、上記胴状部１２ａと略垂直な側片がトンネル状の絶縁壁３２ａの外に配されている略Ｔ字型のカード１２と、前記ボディブロック１のトンネル状の絶縁壁３２ａの外壁に絶縁用の壁１４ａが至ってボディブロック１のトンネル状の絶縁壁３２ａの外側に設けられた溝３ｄに入り込んで２重の絶縁構成とするケース１４を備え、前記電磁石ブロック２及びアマチュア１３が、前記ボディブロック１のトンネル状の絶縁壁３２ａの一方の開口部３２ｂより挿入され、接点機構は、トンネル状の絶縁壁３２ａの側方に配置され、前記カード１２により、１つの接点が固着されている可動ばね４ｂの接点より先端位置にて駆動される電磁継電器において、前記カード１２には下方に向けて突部１２ｅが突出され、ベース３１には凹部３１ｎが形成され、突部１２ｅが凹部３１ｎに揺動自在に挿入されて成ることを特徴とするものである。
【００１２】
請求項９においては、少なくとも１組の接点を有する接点機構と、コイル線が巻かれている中空部を有するコイルボビン６と、前記コイルボビン６を取り囲むように配されている１組の継鉄７、８と、前記１組の継鉄７、８の間に配設されている永久磁石１１とで構成された電磁石ブロック２と、前記コイルボビン６の中空部６ａに置かれ１組の継鉄７、８間で揺動可能に枢支されているアマチュア１３と、前記電磁石ブロック２を覆うトンネル状の絶縁壁３２ａを備えており、前記トンネル状の絶縁壁３２ａはその両側に同軸方向に開口した開口部３２ｂ，３２ｃを有し、両側の開口部３２ｂ，３２ｃの間が開口を有することなく延ばされていると共に前記接点機構の端子が固着されているボディブロック１と、中央の胴状部１２ａがトンネル状の絶縁壁３２ａの開口部３２ｃより挿入され、トンネル状の絶縁壁３２ａ内でアマチュア１３と結合され、上記胴状部１２ａと略垂直な側片がトンネル状の絶縁壁３２ａの外に配されている略Ｔ字型のカード１２と、前記ボディブロック１のトンネル状の絶縁壁３２ａの外壁に絶縁用の壁１４ａが至ってボディブロック１のトンネル状の絶縁壁３２ａの外側に設けられた溝３ｄに入り込んで２重の絶縁構成とするケース１４を備え、前記電磁石ブロック２及びアマチュア１３が、前記ボディブロック１のトンネル状の絶縁壁３２ａの一方の開口部３２ｂより挿入され、接点機構は、トンネル状の絶縁壁３２ａの側方に配置され、前記カード１２により、１つの接点が固着されている可動ばね４ｂの接点より先端位置にて駆動される電磁継電器において、前記カード１２に胴状部１２ａが形成され、胴状部１２ａにはトンネル状の孔１２ｂが胴状部１２ａの一端側に開口して形成され、孔１２ｂの奥にはアマチュア１３の挿入孔１２ｆが形成され、アマチュア１３の先端部が挿入孔１２ｆに挿入され、トンネル状の孔１２ｂ内には接着剤が塗布されて成ることを特徴とするものである。
【００１３】
請求項１においては、ボディブロック１のトンネル状の絶縁壁３２ａが、電磁石ブロック２のコイル９及び磁極部を覆っており、カード１２とアマチュア１３がトンネル状の絶縁壁３２ａ内部で結合されているので、十分な絶縁距離を得ることができる。ボディブロック１のトンネル状の絶縁壁３２ａ及びケース１４の絶縁用の壁１４ａにより２重絶縁が確保できる。接点端子がボディブロック１のベース３１にインサート成形されているので、端子圧入によるゴミの発生がなく、またシールによる特性変化もほとんどなくなる。
【００１４】
請求項２においては、ケース１４が熱かしめによりベース３１と一体化されているので、接着工程のように製造プロセスのラインが分断され、コストアップを引き起こすこともなく安価な電磁継電器を提供することができる。
請求項３においては、絶縁カバー３２のリブ３２ｈ，３２ｉ，３２ｇ，３２ｋをベース３１の孔３１ｈ，３１ｉ，３１ｇ，３１ｋに挿入して一体化するのであり、作業性を高めることができる。
【００１５】
請求項４においては、一体化をおこなう際に、一体化されるリブ３２ｈ，３２ｇの位置には継鉄７，８またはコイルボビン６のつば部があり、受圧を充分におこなえ、絶縁カバー３２が変形したり、撓むようなことを回避でき、一体化する部分に隙間が生じるこを防止でき、一体化する工程における歩留りを高めるとともに特性を安定化させることができる。
【００１６】
請求項５においては、電磁継電器のボディブロック１を組み立てた後、ケース１４を被せてシール剤により一次シールをおこなう場合、従来の構成のものでは、絶縁カバー３２の電磁石ブロック２が入る側の端部は、底からベース３１、絶縁カバー３２、コイルボビン６の三層構造にとなり、コイルボビン６までシール剤が廻り難くなるのであるところ、請求項５においては、絶縁カバー３２の端部をベース３１が覆うため、ベース３１とコイルボビン６の二重構造になり、シール剤の回りが良くなり、気密性を高めることができる。
【００１７】
請求項６においては、ボディ片１ｂ，１ｃを成形する際に、可動端子４ｃと固定端子５ｂを１組だけ同時成形するだけであるから、バリ切りが容易であり端子形状等の自由度が大きい。
請求項７においては、同時成形した分割ボディ片１ｅ，１ｅは、半トンネル状の絶縁壁３２ａ，３２ａ部分が補強材の役割をしていて反りにくい。
【００１８】
請求項８においては、ベース３１の凹部３１ｎにカード１２の突部１２ｅが入り込んだ状態になっているため、接着剤が絶縁物とみなされない場合でも、絶縁距離が充分にとれ、耐電圧等の絶縁性能を向上させることができる。
請求項９においては、トンネル状の孔１２ｂ内に接着剤を塗布でき、アマチュア１３とカード１２との接続を、接着剤にて充分に補強でき、圧入のみの構成に比べて、アマチュア１３とカード１２との結合強度を充分に高め、アマチュア１３とカード１２とのがたつきの発生等を抑えることができる。
【００１９】
【発明の実施の形態】
以下本発明の実施の形態を図面に基づいて詳述する。
図１に示すように、ボディブロック１は、ベース３１、絶縁カバー３２、端子ブロック３３より構成されている。絶縁カバー３２には、両端に開口部３２ｂ，３２ｃを有するトンネル状の絶縁壁３２ａが形成されており、また、図３（ｂ）に示すように、ベース３１の連結用の３つの孔３２ｄ，３２ｅ，３２ｆが設けられている。
【００２０】
ベース３１は、後述の端子ブロック３３が同時にインサート成形されていると共に、図５に示すように、３つのリブ３１ａ，３１ｂ，３１ｃが設けられており、前述の絶縁カバー３２の上記３つの孔３２ｄ，３２ｅ，３２ｆがそれぞれリブ３１ａ，３１ｂ，３１ｃに挿入された後、光ビーム等で熱かしめされて連結されてボディブロック１を形成している。絶縁壁３２ａの外側には、ベース３１と連結されたときに、壁に沿うように溝３ｄが構成されている。
【００２１】
端子ブロック３３は、可動接点ブロック４及び固定接点ブロック５より構成されており、ベース３１と同時成形された後、端子部が分断される。
可動接点ブロック４は、可動接点４ａがかしめ固定されている略コ字型をした可動ばね４ｂ，４ｂが固着され、前記ベース３１と同時にインサート成形されている可動端子４ｃより構成されている。
【００２２】
固定接点ブロック５は、前記可動接点４ａに対向した固定接点５ａがかしめ固定されており、可動接点ブロック４と共に前記ベース３１と同時にインサート成形されている固定端子５ｂより構成されている。
電磁石ブロック２は、コイル端子１０が装着されるコイル９が巻かれ、内部に中空部６ａを有するコイルボビン６と継鉄７、８及び永久磁石１１より構成されており、前記絶縁カバー３２の一方の開口部３２ｂを通って、絶縁カバー３２のトンネル状の絶縁壁３２ａ内に挿入されている。
【００２３】
継鉄７、８は、略コ字型をしており、それぞれの磁極部が対向するように平行に配されており、それぞれの中間片７ｂ、８ｂの間に永久磁石１１が装着されている。
カード１２は、略Ｔ字型をしており、胴状部１２ａには途中までの孔１２ｂが形成されており、側片となる頭部１２ｃには、可動ばね４ｂが挿入されるガイド溝１２ｄが設けられており、前記絶縁カバー３２の他方の開口部３２ｃより絶縁カバー３２のトンネル状の絶縁壁３２ａに挿入され、胴状部１２ａが絶縁壁３２ａに挿入され、胴状部１２ａが絶縁壁３２ａ内に位置している。
【００２４】
アマチュア１３は、先端に細長部１３ａを有し、先端部よりコイルボビン６の中空部６ａに挿入され、電磁石ブロック２を通って、絶縁カバー３２のトンネル状の絶縁壁３２ａ内で前記カード１２の胴状部の孔１２ｂに圧入固定される。
図２に示すように、ケース１４は、内部上面より、絶縁の壁１４ａが伸ばされており、ボディブロック１に被せられた時に、ケース１４の外周部が溝３ｄに入るようになっている。
【００２５】
上述の構成によれば、電磁石ブロック２のコイル９の励磁により、アマチュア１３がコイルボビン６内の支点を中心に継鉄７の磁極部、あるいは継鉄８の磁極部に吸引されるように揺動する。アマチュア１３の動きは、先端の細長部１３ａに固着されたカード１２を通して、可動接点ばね４ｂに伝わり、可動接点４ａと固定接点５ａの開閉がおこなわれる。
【００２６】
電磁継電器の入力である電磁石部と出力である接点部の絶縁については、大部分の場所で、可動接点ブロック４及び固定接点ブロック５と電磁石ブロック２とが、絶縁カバー３２のトンネル状の絶縁壁３２ａとケース１４の壁１４ａの２重に絶縁されている。絶縁カバー３２の他の開口部３２ｃを通しては、電磁石ブロック２の継鉄７、８もしくはアマチュア１３と、接点部は空間的につながっているが、空間距離、沿面距離は、必要な距離を確保できている。
【００２７】
図１０及び図１１は実施の第２の形態を示していて、ボディブロック１を３つのボディ片１ａ，１ｂ，１ｃから構成し、電磁石ブロック２を覆うトンネル状の絶縁壁３２ａを備えたボディ片１ａを射出成形で形成し、他のボディ１ｂ，１ｃを可動接点４ａがかしめ固定されている可動ばね４ｂが固定された１つの可動端子４ｃと、可動接点４ａに対向した固定接点５ａがかしめ固定されている１つの固定端子５ｂとともに同時成形により、それぞれ成形している。そして、ボディ片１ｂとボディ片１ｃをボディ片１ａに接続リブ２１及び接続孔２２を介して固定して、ボディブロック１を構成するものである。
【００２８】
図１２及び図１３は実施の第３の形態を示していて、トンネル状の絶縁壁３２ａを備えたボディ片１ａが、二分割され、分割された分割ボディ片１ｅ，１ｅを可動接点４ａがかしめ固定されている可動ばね４ｂが固着された可動端子４ｃと、可動接点４ａに対向した固定接点５ａがかしめ固定されている固定端子５ｂとともに同時成形により成形した後、接続リブ２１及び接続孔を介して位置決めしながら、分割ボディ片１ｅ，１ｅを熱着固定あるいは接着固定して、トンネル状の絶縁壁３２ａを備えたボディ片１ａを形成するものである。
【００２９】
図１４乃至図２５は実施の第４の形態を示している。即ち、図２２及び図２３に示すように、絶縁カバー３２に位置決め用のリブ３２ｈ，３２ｉ，３２ｇ，３２ｋが形成されている。これらリブ３２ｈ，３２ｉ，３２ｇ，３２ｋのうち、二本のリブ３２ｈ，３２ｇの高さが高くて熱かしめ用となっている。一方、ベース３１には、図１６及び図２０に示すように、孔３１ｈ，３１ｉ，３１ｇ，３１ｋが形成されている。しかして、孔３１ｈ，３１ｉ，３１ｇ，３１ｋにリブ３２ｈ，３２ｉ，３２ｇ，３２ｋが挿入され、ベース３１に対して絶縁カバー３２が位置決めされ、その後、前記リブ３２ｈ，３２ｇを熱かしめ等によりベース３１と絶縁カバー３２とを一体化してボディブロック１を構成するのである。
【００３０】
この場合、絶縁カバー３２に設けられたリブ３２ｈ，３２ｉ，３２ｇ，３２ｋは、電磁石ブロック２がボディブロック１に挿入されたときに、継鉄７，８またはコイルボビン６のつば部の下面に位置されていて、絶縁カバー３２に電磁石ブロック２の他、アマチュア１３及びカード１２が挿入された後にベース３１との熱かしめがおこなわれるのである。しかして、熱かしめをおこなう際に、熱かしめされるリブ３２ｈ，３２ｇの位置には継鉄７，８またはコイルボビン６のつば部があり、かしめパンチに対応する受圧を充分におこなえ、絶縁カバー３２が変形したり、撓むようなことを回避でき、かしめ部分に隙間が生じるこを防止でき、熱かしめ工程における歩留りを高めるとともに特性を安定化させている。
【００３１】
図１５及び図１６に示すように、絶縁カバー３２の電磁石ブロック２が挿入される側の端部下面に切欠き３２ｍが形成されている。一方、ベース３１に、切欠き３２ｍに対応する突部３１ｍが形成されている。しかして、切欠き３２ｍに突部３１ｍが嵌まり込み、電磁継電器のボディブロック１を組み立てた後、ケース１４を被せてシール剤により一次シールをおこなう場合、絶縁カバー３２の端部をベース３１が覆うため、ベース３１とコイルボビン６が直接当接し、ベース３１とコイルボビン６の二重構造になり、ベース３１とコイルボビン６間におけるシール剤の回りが良くなり、気密性を高めるようになっている。
【００３２】
更に、実施の第４の形態においては、図１５に示すように、カード１２には下方に向けて突部１２ｅが突出され、ベース３１には突出部３１ｈが形成され、突出部３１ｈに凹部３１ｎが形成され、突部１２ｅが凹部３１ｎに揺動自在に挿入されていて、ベース３１の凹部３１ｎにカード１２の突部１２ｅが入り込んだ状態になっているため、後述する接着剤が絶縁物とみなされない場合でも、絶縁距離が充分にとれ、耐電圧等の絶縁性能を向上させているのである。
【００３３】
しかも、図１５に示すように、実施の第１の形態のように、カード１２に胴状部１２ａが形成され、胴状部１２ａにはトンネル状の孔１２ｂが胴状部１２ａの一端側に開口して形成され、孔１２ｂの奥にはアマチュア１３の挿入孔１２ｆが形成されているのであり、この場合、アマチュア１３の先端部が挿入孔１２ｆに挿入され、トンネル状の孔１２ｂ内には接着剤が塗布されて、アマチュア１３とカード１２との接続を、接着剤にて充分に補強でき、圧入のみの構成に比べて、アマチュア１３とカード１２との結合強度を充分に高め、アマチュア１３とカード１２とのがたつきの発生等を抑えている。
【００３４】
【発明の効果】
請求項１においては、ボディブロックのトンネル状の絶縁壁が、電磁石ブロックのコイル及び磁極部を覆っており、カードとアマチュアがトンネル状の絶縁壁内部で結合されているので、十分な絶縁距離を得ることができる。ボディブロックのトンネル状の絶縁壁及びケースの絶縁用の壁により２重絶縁が確保できる。接点端子がボディブロックのベースにインサート成形されているので、端子圧入によるゴミの発生がなく、またシールによる特性変化もほとんどなくなる。製造工程中の特性変化が少ないので、特性を安定化できる。カード等の可動部に絶縁のための壁を設ける必要がないので、カードを単純形状で軽量化でき、動作時間が短く、耐衝撃や耐振動性の優れた電磁継電器を提供できる。
【００３５】
請求項２においては、絶縁カバーが熱かしめによりベースと一体化されているので、接着工程のように製造プロセスのラインが分断され、コストアップを引き起こすこともなく安価な電磁継電器を提供することができる。接点端子の位置精度やベースに対する垂直度が出やすい。
請求項３においては、前記絶縁カバーに少なくとも１つの位置決め用のリブが形成され、前記ベースに設けられた孔に前記リブが挿入されてベースに対して絶縁カバーが位置決めされ、その後、ベースと絶縁カバーとを一体化してボディブロックを構成するから、作業性を高めることができるという利点がある。
【００３６】
請求項４においては、絶縁カバーに設けられたリブは、電磁石ブロックがボディブロックに挿入されたときに、継鉄またはコイルボビンのつば部の下面に位置されているから、一体化をおこなう際に、一体化されるリブの位置には継鉄またはコイルボビンのつば部があり、受圧を充分におこなえ、絶縁カバーが変形したり、撓むようなことを回避でき、一体化する部分に隙間が生じるこを防止でき、一体化工程における歩留りを高めるとともに特性を安定化させることができる。
【００３７】
請求項５においては、絶縁カバーの電磁石ブロックが挿入される側の端部下面に切欠きが形成されているとともに、ベースに、切欠きに対応する突部が形成され、切欠きに突部が嵌まり込んでいるから、電磁継電器のボディブロックを組み立てた後、ケースを被せてシール剤により一次シールをおこなう場合、従来の構成のものでは、絶縁カバーの電磁石ブロックが入る側の端部は、底からベース、絶縁カバー、コイルボビンの三層構造にとなり、コイルボビンまでシール剤が廻り難くなるのであるところ、請求項５においては、絶縁カバーの端部をベースが覆うため、ベースとコイルボビンの二重構造になり、シール剤の回りが良くなり、気密性を高めることができる。
【００３８】
請求項６においては、ボディ片を成形する際に、可動端子と固定端子を１組だけ同時成形するだけであるから、バリ切りが容易であり端子形状等の自由度が大きくできる。
請求項７においては、同時成形した分割ボディ片は、半トンネル状の絶縁壁部分が補強材の役割をしていて反りにくくなる。
【００３９】
請求項８においては、前記カードには下方に向けて突部が突出され、ベースには凹部が形成され、突部が凹部に揺動自在に挿入されているから、ベースの凹部にカードの突部が入り込んだ状態になっているため、接着剤が絶縁物とみなされない場合でも、絶縁距離が充分にとれ、耐電圧等の絶縁性能を向上させることができる。
【００４０】
請求項９においては、カードに胴状部が形成され、胴状部にはトンネル状の孔が胴状部の一端側に開口して形成され、孔の奥にはアマチュアの挿入孔が形成され、アマチュアの先端部が挿入孔に挿入され、トンネル状の孔内には接着剤が塗布されているから、トンネル状の孔内に接着剤を塗布でき、アマチュアとカードとの接続を、接着剤にて充分に補強でき、圧入のみの構成に比べて、アマチュアとカードとの結合強度を充分に高め、アマチュアとカードとのがたつきの発生等を抑えることができる。
【図面の簡単な説明】
【図１】本発明の実施の第１の形態を示し、アマチュア、電磁石ブロック、可動接点ブロック及びカードを示す分解斜視図である。
【図２】同上の絶縁カバーの斜視図である。
【図３】同上の絶縁カバーを示し、（ａ）は正面図、（ｂ）は平面図、（ｃ）は背面図である。
【図４】同上の絶縁カバーを示し、（ａ）は側断面図、（ｂ）は側面図である。
【図５】同上のべースを示し、（ａ）は平面図、（ｂ）は（ａ）のＡーＡ線断面図、（ｃ）は背面図、（ｄ）は側面図である。
【図６】同上のボディブロックを示し、（ａ）は平面図、（ｂ）は（ａ）のＢーＢ線断面図である。
【図７】同上のボディブロックの側面図である。
【図８】同上の端子ブロックを示し、（ａ）は拡大正面図、（ｂ）は拡大側面図、（ｃ）は拡大平面図である。
【図９】同上の端子ブロックの一部省略した側面図である。
【図１０】同上の実施の第２の形態を示す分解斜視図である。
【図１１】同上の全体斜視図である。
【図１２】同上の実施の第３の形態を示す分解斜視図である。
【図１３】同上の全体斜視図である。
【図１４】同上の実施の第４の形態を示す分解斜視図である。
【図１５】同上の部分分解斜視図である。
【図１６】同上のベースの斜視図である。
【図１７】同上の組立て後の平断面図である。
【図１８】同上の縦断面図である。
【図１９】同上の側断面図である。
【図２０】（ａ）は底面図、（ｂ）は部分拡大断面図である。
【図２１】同上の絶縁カバーの一部を破断した平面図である。
【図２２】同上の絶縁カバーの一部破断した側面図である。
【図２３】同上の底面図である。
【図２４】（ａ）はベースの平面図、（ｂ）は（ａ）のＣーＣ線断面図、（ｃ）は（ａ）のＤーＤ線断面図である。
【図２５】同上のベースの縦断面図である。
【符号の説明】
１    ボディブロック
２    電磁石ブロック
６    コイルボビン
６ａ  中空部
７    継鉄
８    継鉄
１１  永久磁石
１２  カード
１３  アマチュア
１４  ケース
１４ａ  絶縁用の壁
３１  べース
３１ａ  リブ
３１ｂ  リブ
３２    絶縁カバー
３２ａ  絶縁壁
３２ｂ  開口部
【図１】
0003541532.tif 000002
【図２】
0003541532.tif 000003
【図３】
0003541532.tif 000004
【図４】
0003541532.tif 000005
【図５】
0003541532.tif 000006
【図６】
0003541532.tif 000007
【図７】
0003541532.tif 000008
【図８】
0003541532.tif 000009
【図９】
0003541532.tif 000010
【図１０】
0003541532.tif 000011
【図１１】
0003541532.tif 000012
【図１２】
0003541532.tif 000013
【図１３】
0003541532.tif 000014
【図１４】
0003541532.tif 000015
【図１５】
0003541532.tif 000016
【図１６】
0003541532.tif 000017
【図１７】
0003541532.tif 000018
【図１８】
0003541532.tif 000019
【図１９】
0003541532.tif 000020
【図２０】
0003541532.tif 000021
【図２１】
0003541532.tif 000022
【図２２】
0003541532.tif 000023
【図２３】
0003541532.tif 000024
【図２４】
0003541532.tif 000025
【図２５】
0003541532.tif 000026